(57)【要約】【課題】縫着部の破断を防止することができ、且つ吊りベルトの滑り現象を防止することができる土嚢用袋体を提供すること。【解決手段】本発明は、土嚢に用いられる土嚢用袋体１０であって、基布袋体１と、該基布袋体１を吊るための帯状の吊りベルト２と、を備え、吊りベルト２が、基布袋体１の側面に縫着された少なくとも一対の縫着部２ａと、基布袋体１に縫着されない非縫着部２ｃとを有し、縫着部２ａを覆うように、被覆材７が基布袋体１にそれぞれ縫着されている土嚢用袋体１０である。【選択図】図１
2014173363.tif 000002
【特許請求の範囲】
【請求項１】
土嚢に用いられる土嚢用袋体であって、
基布袋体と、
該基布袋体を吊るための帯状の吊りベルトと、
を備え、
前記吊りベルトが、前記基布袋体の側面に縫着された少なくとも一対の縫着部と、前記基布袋体に縫着されない非縫着部とを有し、
前記縫着部を覆うように、被覆材が前記基布袋体にそれぞれ縫着されている土嚢用袋体。
【請求項２】
前記被覆材の幅が、前記縫着部における吊りベルトの幅の１．５〜４．０倍である請求項１記載の土嚢用袋体。
【請求項３】
前記被覆材の長手方向の長さが、前記縫着部の長手方向の長さの１．１〜２．０倍である請求項１又は２に記載の土嚢用袋体。
【請求項４】
前記被覆材には紫外線反射剤又は紫外線吸収剤が付与されている請求項１〜３のいずれか１項に記載の土嚢用袋体。
【請求項５】
前記吊りベルトがループ状となっている請求項１〜４のいずれか１項に記載の土嚢用袋体。
【請求項６】
前記吊りベルトの両側が取っ手部となっている請求項５記載の土嚢用袋体。
【請求項７】
前記基布袋体がポリプロピレンからなり、
該基布袋体のＪＩＳ−Ｌ１０９６に準じた引張強度が２４０Ｎ／ｃｍ以上であり、且つＪＩＳ−Ａ１２１８に準じた透水性が１．０×１０−２ｃｍ／ｓ以上である請求項１〜６のいずれか１項に記載の土嚢用袋体。
【請求項８】
前記吊りベルトが４本吊りとなっており、
該吊りベルトのＪＩＳ−Ｌ１０９６に準じた引張強度が３０ｋＮ／本以上である請求項１〜７のいずれか１項に記載の土嚢用袋体。
【発明の詳細な説明】
【技術分野】
【０００１】
本発明は、土嚢に用いられる土嚢用袋体に関し、更に詳しくは、縫着部の破断を極力防止することができ、且つ吊りベルトの滑り現象を防止することができる土嚢用袋体に関する。
【背景技術】
【０００２】
海岸、河川、湖、池、道路、山林等での土木工事に土嚢が各所で用いられている。ここで、土嚢は、土嚢用袋体の中に中詰め材が充填されたものである。
【０００３】
このような土嚢用袋体としては、中詰め材が投入される基布袋体と、該基布袋体に取り付けられた吊上げのための吊りベルトとを有し、少なくとも１年の経時後の紫外線による強度劣化に相当する分の強度を、前もって余分に与えてある土木用土嚢が知られている（例えば、特許文献１又は２参照）。
【先行技術文献】
【特許文献】
【０００４】
【特許文献１】特開２００７−１６５８５号公報
【特許文献２】特開２００８−５０９４０号公報
【発明の概要】
【発明が解決しようとする課題】
【０００５】
しかしながら、上記特許文献１又は２に記載のような土木用土嚢を含む従来の土嚢用袋体を用いた土嚢は、紫外線吸収剤を糸に含めるため、紫外線に基づく縫着部の劣化は一応抑制できるものの、紫外線吸収剤の効果が時限的であるため、縫着部の強度が低下してくる。
また、吊りベルトをクレーンのフックに引掛け、クレーンで吊り上げると、過度な荷重により、吊りベルトの縫着部の糸が切れる場合がある。その結果、吊りベルトが土嚢から離脱して、土嚢の表面に沿って滑る、いわゆる「滑り現象」が生じる。そうすると、吊り上げ状態の土嚢がバランスを崩して落下する危険もある。
【０００６】
本発明は上記事情に鑑みてなされたものであり、縫着部の破断を極力防止することができ、且つ吊りベルトの滑り現象を防止することができる土嚢用袋体を提供することを目的とする。
【課題を解決するための手段】
【０００７】
本発明者等は、上記課題を解決するため鋭意検討したところ、縫着部を覆うように被覆材を設けることにより、意外にも、上記課題を解決し得ることを見出し、本発明を完成させるに至った。
【０００８】
本発明は、（１）土嚢に用いられる土嚢用袋体であって、基布袋体と、該基布袋体を吊るための帯状の吊りベルトと、を備え、吊りベルトが、基布袋体の側面に縫着された少なくとも一対の縫着部と、基布袋体に縫着されない非縫着部とを有し、縫着部を覆うように、被覆材が基布袋体にそれぞれ縫着されている土嚢用袋体に存する。
【０００９】
本発明は、（２）被覆材の幅が、縫着部における吊りベルトの幅の１．５〜４．０倍である上記（１）記載の土嚢用袋体に存する。
【００１０】
本発明は、（３）被覆材の長手方向の長さが、縫着部の長手方向の長さの１．１〜２．０倍である上記（１）又は（２）に記載の土嚢用袋体に存する。
【００１１】
本発明は、（４）被覆材には紫外線反射剤又は紫外線吸収剤が付与されている上記（１）〜（３）のいずれか１つに記載の土嚢用袋体に存する。
【００１２】
本発明は、（５）吊りベルトがループ状となっている上記（１）〜（４）のいずれか１つに記載の土嚢用袋体に存する。
【００１３】
本発明は、（６）吊りベルトの両側が取っ手部となっている上記（５）記載の土嚢用袋体に存する。
【００１４】
本発明は、（７）基布袋体がポリプロピレンからなり、該基布袋体のＪＩＳ−Ｌ１０９６に準じた引張強度が２４０Ｎ／ｃｍ以上であり、且つＪＩＳ−Ａ１２１８に準じた透水性が１．０×１０−２ｃｍ／ｓ以上である上記（１）〜（６）のいずれか１つに記載の土嚢用袋体に存する。
【００１５】
本発明は、（８）吊りベルトが４本吊りとなっており、該吊りベルトのＪＩＳ−Ｌ１０９６に準じた引張強度が３０ｋＮ／本以上である上記（１）〜（７）のいずれか１つに記載の土嚢用袋体に存する。
【発明の効果】
【００１６】
本発明の土嚢用袋体においては、縫着部を覆うように被覆材を設けることにより、縫着部への紫外線の到達がより抑制される。これにより、紫外線劣化に基づく、縫着部の破断を防止することができる。これに加え、吊りベルトをクレーンのフックに引掛け、クレーンで吊り上げた状態とした場合、仮に縫着部の糸が破断しても、吊りベルトの滑り現象を阻止することができる。
このとき、被覆材の長手方向の長さが、縫着部の長手方向の長さの１．１〜２．０倍であると、縫着部の機械的な破断をより防止することが可能となる。
【００１７】
また、土嚢用袋体においては、仮に縫着部が破断した場合であっても、縫着された被覆材が吊りベルトを支持するので、吊りベルトの位置が大きくずれずに土嚢を吊り上げることができる。
このとき、被覆材の幅が、縫着部における吊りベルトの幅の１．５〜４．０倍である場合、縫着部と同時に被覆材が破断することが防止される。
【００１８】
本発明の土嚢用袋体においては、被覆材には紫外線反射剤又は紫外線吸収剤が付与されている場合、紫外線劣化に基づく、縫着部の破断を効率良く防止することができる。
【００１９】
本発明の土嚢用袋体においては、吊りベルトがループ状となっている場合、基布袋体への取り付けが容易となる。このとき、吊りベルトの両側を取っ手部とすることにより、縫着部が基布袋体からより剥がれ難くなる。
【００２０】
本発明の土嚢用袋体においては、基布袋体がポリプロピレンからなり、該基布袋体のＪＩＳ−Ｌ１０９６に準じた引張強度が２４０Ｎ／ｃｍ以上であると、多段積みした場合の上載荷重に十分に耐えられるという利点があり、ＪＩＳ−Ａ１２１８に準じた透水性が１．０×１０−２ｃｍ／ｓ以上であると、高含水比の中詰め材に対して、早急に水を排出できるという利点がある。
【００２１】
本発明の土嚢用袋体においては、吊りベルトが４本吊りとなっており、該吊りベルトのＪＩＳ−Ｌ１０９６に準じた引張強度が３０ｋＮ／本以上である場合、土嚢を吊り上げる際に、吊りベルトが破損することを抑制できる。
【図面の簡単な説明】
【００２２】
【図１】図１は、本実施形態に係る土嚢用袋体を模式的に示す斜視図である。
【図２】図２の（ａ）は、本実施形態に係る土嚢用袋体を示す底面図であり、（ｂ）は、本実施形態に係る土嚢用袋体を示す上面図である。
【図３】図３の（ａ）及び（ｂ）は、本実施形態に係る土嚢用袋体における滑り現象を説明するための説明図である。
【図４】図４は、本実施形態に係る土嚢用袋体の被覆材を示す部分拡大図である。
【図５】図５は、本実施形態に係る土嚢用袋体の吊り部を示す部分拡大図である。
【発明を実施するための形態】
【００２３】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２４】
本実施形態に係る土嚢用袋体は、土嚢に用いられる。すなわち、土嚢用袋体は、内部に図示しない中詰め材が充填可能となっている。
ここで、中詰め材としては、公知のものが用いられ、例えば、土砂や石材等が挙げられる。
【００２５】
図１は、本実施形態に係る土嚢用袋体を模式的に示す斜視図である。
図１に示すように、本実施形態に係る土嚢用袋体１０は、基布袋体１と、該基布袋体１を吊るための帯状の吊りベルト２と、を備える。
【００２６】
土嚢用袋体１０においては、基布袋体１の内部に中詰め材を充填し、その後、基布袋体１の図示しない口部を封じることにより土嚢として用いられる。なお、口部を封じる方法としては、特に限定されないが、例えば、ロープで縛る方法が挙げられる。
【００２７】
基布袋体１は、有底円筒状となっている。
ここで、基布袋体１の材質としては、特に限定されないが、ポリエステル、ポリプロピレン、ポリエチレン、ポリアミド等が用いられる。
これらの中でも、基布袋体１の材質は、耐久性及びリサイクルのし易さの観点から、ポリプロピレンであることが好ましい。
【００２８】
基布袋体１には、紫外線反射剤（紫外線遮蔽剤を含む）又は紫外線吸収剤が含まれていることが好ましい。この場合、紫外線による基布袋体１の劣化を抑制することができる。
なお、紫外線反射剤としては、カーボンブラック、酸化鉄、酸化クロム、酸化鉛、酸化亜鉛、酸化マグネシウム、酸化チタン、炭酸カルシウム、硫酸バリウム等が挙げられ、紫外線吸収剤としては、フェニルサリシレート系、ヒドロキシベンゾフェノン系、ベンゾトリアゾール系、ヒンダードアミン系等の吸収剤が挙げられる。
【００２９】
基布袋体１において、ＪＩＳ−Ｌ１０９６に準じた引張強度が２４０Ｎ／ｃｍ以上であることが好ましい。
引張り強度が２４０Ｎ／ｃｍ未満であると、引張り強度が上記範囲内にある場合と比較して、多段積みした場合の上載荷重に耐えられず、基布袋体１が破れる恐れがある。
また、ＪＩＳ−Ａ１２１８に準じた透水性が１．０×１０−２ｃｍ／ｓ以上であることが好ましい。
透水性が１．０×１０−２ｃｍ／ｓ未満であると、透水性が上記範囲内にある場合と比較して、高含水比の中詰め材に対して、早急に水を排出できない恐れがある。
【００３０】
吊りベルト２は、基布袋体１の側面に縫着された少なくとも一対の縫着部２ａと、基布袋体１に縫着されない非縫着部２ｃと、両方の縫着部２ａを架橋する取っ手部２ｂとからなる。
【００３１】
図２の（ａ）は、本実施形態に係る土嚢用袋体を示す底面図であり、（ｂ）は、本実施形態に係る土嚢用袋体を示す上面図である。
図２の（ａ）に示すように、土嚢用袋体１０において、吊りベルト２は、基布袋体１の底部１ｂで直交し、底部１ｂから立ち上がるように、基布袋体１の側面と吊りベルト２の縫着部２ａとが部分的に縫着されている（図１参照）。
なお、本実施形態に係る土嚢用袋体１０においては、基布袋体１の底部１ｂにおいても、吊りベルト２の縫着部２ａと部分的に縫着されている。すなわち、基布袋体１の底部１ｂは、四隅が吊りベルト２の縫着部２ａと縫着されており、それ以外の吊りベルト２の非縫着部２ｃとは縫着されていない。
また、基布袋体１の側面も同様に、吊りベルト２の縫着部２ａと縫着されており、それ以外の吊りベルト２の非縫着部２ｃとは縫着されていない（図１参照）。
【００３２】
そして、図２の（ｂ）に示すように、基布袋体１の上面では、一対の吊りベルト２の取っ手部２ｂが配置される。
このとき、取っ手部２ｂの略中央には、吊り部５が形成されている。すなわち、中詰め材が充填された土嚢用袋体１０は、取っ手部２ｂの吊り部５を吊り上げることにより、縫着部２ａを介して土嚢用袋体１０が吊り上げられることになる。
【００３３】
土嚢用袋体１０においては、クレーンのフックを取り付ける吊り部５が形成されているので、フックを取り付ける位置が明確となっている。
また、吊り部５が取っ手部の略中央に取り付けられていることから、吊り搬送の際、フックが常に取っ手部の略中央に取り付けられることになるので、偏荷重による土嚢用袋体の破損を防止できる。
【００３４】
図１に戻り、本実施形態に係る土嚢用袋体１０において、吊りベルト２は、エンドレスのループ状となっている。このため、吊りベルト２の基布袋体１への取り付けが容易となる。
また、エンドレスのループ状の吊りベルト２が底部１ｂを通って、取っ手部２ｂとなるように配置されているので、取っ手部２ｂを吊り上げる際には、基布袋体１全体が吊りベルト２によって持ち上げられることになる。このため、縫着部２ａの糸への荷重が軽減され、縫着部２ａが基布袋体からより剥がれ難くなる。
さらに、中詰め材が投入された土嚢を吊り上げた場合に、基布袋体１は周囲から内方へ向けて吊りベルト２による押圧作用が有効に働くので、土嚢を吊り上げたときの安定性が増し、より安全且つ確実に搬送することが可能となる。
なお、基布袋体１は４本の吊りベルト２で吊られることになるので、本実施形態に係る土嚢用袋体１０は、いわゆる４本吊りの土嚢用袋体となる。
【００３５】
ここで、吊りベルト２の使用糸としては、マルチフィラメント又はテープヤーンが用いられる。これらの中でも、吊りベルト２の使用糸は、傷付き難いという理由から、マルチフィラメントであることが好ましい。
また、吊りベルト２の材質としては、特に限定されないが、ポリエステル、ポリプロピレン、ポリエチレン、ポリアミド等が用いられる。
これらの中でも、吊りベルト２の材質は、耐久性及びリサイクルのし易さの観点から、ポリプロピレンであることが好ましい。
【００３６】
吊りベルト２においては、紫外線反射剤又は紫外線吸収剤が含まれていることが好ましい。この場合、紫外線による吊りベルト２の劣化を抑制することができる。
なお、紫外線反射剤及び紫外線吸収剤としては、上述したものと同じものが用いられる。
【００３７】
吊りベルト２において、ＪＩＳ−Ｌ１０９６に準じた引張強度が３０ｋＮ／本以上であることが好ましい。
引張り強度が３０ｋＮ／本未満であると、引張り強度が上記範囲内にある場合と比較して、中詰め材が充填された土嚢用袋体を吊り上げる際に、吊りベルトが破損する恐れがある。
【００３８】
土嚢用袋体１０において、各縫着部２ａの上面には、該縫着部２ａを跨いで覆うように、被覆材７が基布袋体１の側面にそれぞれ縫着されている。
土嚢用袋体１０は、縫着部２ａを覆うように被覆材７を設けることにより、縫着部２ａへの紫外線の到達が抑制される。これにより、紫外線劣化に基づく、縫着部の破断を防止することができる。
このことに加え、吊りベルト２をクレーンのフックに引掛け、クレーンで吊り上げた状態とした場合、クレーンの横揺れが生じても、被覆材７により、縫着部２ａにかかる負荷が軽減される。すなわち、縫着部２ａが外方に剥がれることが被覆材７により防止される。これにより、縫着部２ａの機械的な破断も抑制することが可能となる。
【００３９】
図３の（ａ）及び（ｂ）は、本実施形態に係る土嚢用袋体における滑り現象を説明するための説明図である。
図３の（ｂ）に示すように、被覆材７を有さない土嚢用袋体１１においては、土嚢用袋体１１の吊りベルトをクレーンのフックに引掛け、クレーンで吊り上げた状態とした場合、仮に縫着部２ａが破断すると、吊りベルトが土嚢の表面に沿って滑るいわゆる「滑り現象」が生じ、吊り上げ状態の土嚢がバランスを崩して落下する危険がある。
それに対し、図３の（ａ）に示すように、被覆材７を有する本発明の土嚢用袋体１０は、仮に縫着部２ａが破断しても、被覆材７が吊りベルト２を覆うように縫着されているので、吊りベルト２の位置が基布袋体１０の側面に沿って横方向に大きくずれずに土嚢を吊り上げることができる。このように、被覆材７は、この「滑り現象」を確実に防止する機能を有するものである。
【００４０】
図４は、本実施形態に係る土嚢用袋体の被覆材を示す部分拡大図である。
図４に示すように、被覆材７は、矩形状となっており、基布袋体１の側面の縫着部２ａを十分覆うように、基布袋体１に側面に取り付けられる。
このとき、被覆材７は、縫着部を保護する意味で或いは強度の観点から、その両端部が吊りベルト２の両側に沿うようにして縫われることが好ましい。
【００４１】
被覆材７の幅Ｗ２は、滑り現象防止の観点から、縫着部２ａにおける吊りベルトの幅Ｗ１の４．０倍以下であることが好ましく、１．５〜４．０倍であることがより好ましく、１．５〜２．５倍であることが更に好ましい。
また、被覆材７の長手方向の長さＨ２は、縫着部２ａの長手方向の長さＨ１の１．１〜２．０倍であることが好ましく、１．１〜１．３倍であることがより好ましい。
【００４２】
ここで、被覆材７の材質としては、特に限定されないが、ポリエステル、ポリプロピレン、ポリエチレン、ポリアミド等が用いられる。
これらの中でも、被覆材７の材質は、耐久性及びリサイクルのし易さの観点から、ポリプロピレンであることが好ましい。
【００４３】
被覆材７においては、紫外線反射剤又は紫外線吸収剤が含まれていることが好ましい。この場合、紫外線による吊りベルト２の縫着部２ａの紫外線劣化に基づく破断を抑制することができる。
なお、紫外線反射剤及び紫外線吸収剤としては、上述したものと同じものが用いられる。
【００４４】
本実施形態に係る土嚢用袋体１０を用いた土嚢は、海岸、河川、湖、池、道路、山林等の法面に好適に敷設される。
【００４５】
以上、本発明の好適な実施形態について説明したが、本発明は上述した実施形態に限定されるものではない。
【００４６】
例えば、本実施形態に係る土嚢用袋体１０においては、ループ状の吊りベルト２を用いているが、紐状の吊りベルトを用いてもよい。
【００４７】
本実施形態に係る土嚢用袋体１０においては、基布袋体１の側面と、各吊りベルト２の縫着部２ａとが１箇所で縫着されているが、複数箇所で縫着されていてもよい。なお、基布袋体１の底面１ｂについても同様である。
また、吊りベルト２は、基布袋体１の底部１ｂで直交し、底部１ｂから立ち上がるように、基布袋体１の側面に沿って取り付けられているが、この構造に限定されない。
【００４８】
本実施形態に係る土嚢用袋体１０においては、４本吊りとなっているが、２本又は３本吊りであってもよく、５本吊り以上であってもよい。
【００４９】
本実施形態に係る土嚢用袋体１０においては、取っ手部２ｂの略中央に吊り部５が形成されているが、吊り部５の構造は特に限定されない。
図５は、本実施形態に係る土嚢用袋体の吊り部を示す部分拡大図である。
図５に示すように、吊り部５は、一定の幅を有する帯状の取っ手部２ｂを長手方向に沿って折り返して縫着することにより形成されていてもよい。この場合、吊り部５は、他の取っ手部２ｂよりも強度が優れるものとなる。
また、吊り部５は、補強布６により被覆されていてもよい。この場合、吊り部５の強度がより向上する。
【００５０】
ここで、補強布６の材質としては、特に限定されないが、ポリエステル、ポリプロピレン、ポリエチレン、ポリアミド等が用いられる。
これらの中でも、補強布６の材質は、耐久性及びリサイクルのし易さの観点から、ポリプロピレンであることが好ましい。
【００５１】
補強布６においては、紫外線反射剤又は紫外線吸収剤が含まれていることが好ましい。この場合、紫外線による吊りベルト２の劣化を抑制することができる。
なお、紫外線反射剤及び紫外線吸収剤としては、上述したものと同じものが用いられる。
【００５２】
補強布６は、基布袋体１及び吊りベルト２とは異なる色で着色されていることが好ましい。これにより、吊り部５とその他の部分との見分けがし易いので、フックを間違えずに吊り部に取り付けることができる。
【００５３】
本実施形態に係る土嚢用袋体は、別の土嚢用袋体と結束ベルトを用いて連結させてもよい。
具体的には、土嚢用袋体１０の吊りベルト２に対して、結束ベルトを、例えば「本結び」や「ふた結び」で結び付けることによって連結が行われる。
土嚢用袋体１０を連結させることにより、背面土圧や背面水圧による土嚢の転倒及び前方への滑動をより十分に防止することが可能となる。
【産業上の利用可能性】
【００５４】
本発明に係る土嚢用袋体１０は、海岸、河川、湖、池、道路、山林等の法面の護岸のために、好適に敷設して用いられる。本発明に係る土嚢用袋体によれば、縫着部の破断を防止することができ、且つ吊りベルトの滑り現象を防止することができる。
【符号の説明】
【００５５】
１・・・基布袋体
１ｂ・・・底部
２・・・吊りベルト
２ａ・・・縫着部
２ｂ・・・取っ手部
２ｃ・・・非縫着部
５・・・吊り部
６・・・補強布
７・・・被覆材
１０・・・土嚢用袋体
【図１】
2014173363.tif 000003
【図２】
2014173363.tif 000004
【図３】
2014173363.tif 000005
【図４】
2014173363.tif 000006
【図５】
2014173363.tif 000007